(57)【特許請求の範囲】
【請求項１】
シャツタ枠に、左右部を有する複数枚のシャツタプレートを枢着したシャツタであって、
前記左右部は、前記各シャツタプレートの長手方向両端部から前記シャツタの表面側に向かって立設され、
前記シャツタ枠の左右の側面枠部間に、Ｃ型材でなる複数の横棧を設け、前記横棧の両端は、前記側面枠部と前記側面枠部から延長して表面側に張り出した左右の張出部とを繋ぐ接続部位にそれぞれ支持され、
前記横棧の開放端部と、前記側面枠部の前記張出部から互いに対峙するように前記シャツタプレートの長手方向に突出しかつ前記シャツタの上下方向に延在する、左右の内側鍔片に形成された側面当接箇所と、に前記シャツタプレートの閉塞時に前記シャツタプレートが当接する密閉部材を設けるシャツタにおいて、
前記密閉部材は、前記各シャツタプレートの枢着位置の裏面側にそれぞれ設けるとともに、前記横棧の前記開放端部に設けた前記密閉部材の端部には、二葉形状の開放鰭部を形成し、前記二葉形状開放鰭部は、前記シャツタプレートの開放側に位置しており、
前記各シャツタプレートの表面の自由端には、補助板を、それぞれ突出して設けるとともに、前記各シャツタプレートの中で、最下端のシャツタプレートのみ、前記補助板を設けず、
前記最下端のシャツタプレートを除いた、前記各シャツタプレートの前記各補助板は、直下に位置する前記各シャツタプレートの基端側を隠蔽することを特徴とするシャツタ。
【請求項２】
請求項１に記載のシャツタであって、
前記シャツタは、前記シャツタ枠に設けたフレーム枠と、前記フレーム枠の端部より、その中心に向って延設した支持杆と、前記支持杆の中心に設けたモータと、前記モータで回転されるファンとで構成した天窓換気扇に付設する構成としたシャツタ。
【発明の詳細な説明】
【技術分野】
【０００１】
本発明は、ハウス等の建屋の屋根、又は妻面等に装備される電動シャツタ、又は建屋の屋根に装備される天窓換気扇に付設されるシャツタに関する。
【背景技術】
【０００２】
従来、シャツタを閉じた状態（閉塞状態）で、シャツタ枠と、シャツタプレートとの間、又はシャツタプレート相互間の如く、シャツタを密閉する。この密閉を確保することで、例えば、雨水、外気、或いは湿度、虫等の侵入防止と、内気の漏洩防止、又は虫の逃避防止、又は省エネ等に大いに役立つ処である。そのため、本出願人は、この閉塞状態を、確保するために、幾多の提案を行っている。その一部が、公開公報として開示されているので、以下、文献として、その概要を説明する。
【０００３】
文献１は、特開２０１１−８０６５０号公報に記載の発明であり、この発明は、［００３２］に記載の如く、シャツタプレートの取付け突条と、シャツタプレート支持金具と、連動板、並びにシャツタプレートをシャツタ枠体に固着する磁石とを介して、シャツタプレートの両側面側を閉塞することを意図する。しかし、この発明は、複数枚のシャツタ相互間の隙間を閉塞する構造を備えていなく、十分な閉塞を確保するには、改良の余地がある。
【０００４】
また、文献２は、特開２０１１−９９６３４号公報に記載の発明であり、この発明は、［００４１］と［００３７］に記載の如く、シャツタ枠体の立上枠体部の枠体表面と、シャツタプレートの裏面側を面接触するとともに、この面接触の状態を、磁石を設けて確実にすること、並びにシャツタプレートの下端に延設部を設け、この延設部で、上下関係のシャツタプレートの隙間を庇部で覆う構造を採用し、シャツタ枠体とシャツタプレートとの間と、シャツタプレート相互間を閉塞することを意図する。しかし、この発明は、弾性を利用して、シャツタ枠体とシャツタプレートとの間、又はシャツタプレート相互間の隙間を閉塞する構造を備えていなく、十分な閉塞を確保するには、改良の余地がある。尚、［００４２］  において、シャツタプレートの裏面側に、植毛、フェルト、ゴム等の密封性部材を設ける構造が開示されており、気密性の確保には有益である。
【０００５】
さらに、文献３は、実開平３−５８５９２号公報に記載の考案であり、この考案は、シャツタプレートの基端側に、閉塞時において、上下のシャツタプレートの基端側で、かつその両端縁にできる隙間を、遮蔽装置で密封することを意図する。しかし、この考案は、上下のシャツタプレートの基端側で、かつその両端縁にできる隙間を、遮蔽装置で密封する構造であり、文献１と同じ改良の余地がある。
【０００６】
【特許文献１】特開２０１１−８０６５０号公報
【特許文献２】特開２０１１−９９６３４号公報
【特許文献３】実開平３−５８５９２号公報
【発明の概要】
【発明が解決しようとする課題】
【０００７】
前記列挙した文献１−文献３においては、それぞれ改良の余地が考えられことから、本発明は、次の効果（特徴）を達成する。
（イ）  シャツタプレートの裏面（裏面側）と、シャツタ枠と、横棧とに設けた（横長方形状）弾性体の密封部材とで、複数のシャツタプレートの隙間を、確実に密閉することで、雨水、外気、或いは虫等の侵入防止と、内気の漏洩防止、又は虫の逃避防止、又は省エネ等に寄与する。例えば、雨水の侵入防止は、次の理由である。雨水がシャツタプレートの周辺より滴下した状況では、この滴下雨水は、密閉部材の周辺からシャツタ枠の内側鍔片に到り、この内側鍔片の側面当接箇所に設けた密閉部材に遮蔽、かつ誘導され、次の密閉部材に流れる構造である。即ち、密閉部材と張出部との間の溝部を雨水が流れる構造とすることで達成できる特徴がある。
（ロ）  また、シャツタ枠に、複数の横棧を付設する（差渡して設ける）ことで、強度の向上と、シャツタ枠の肉薄化、細幅化等を図り、かつ低コスト化と、材料の節約化等を図る。
（ハ）  シャツタプレートの裏面に、断熱材を貼着する（設ける）ことで、シャツタプレートの結露防止と、密閉性の向上、又はガタ防止と、並びにハウス内の昇温、又は降温解消に、幾分でも寄与すること、等にある。
（ニ）  密封部材を、弾性と鰭部を備えたゴムシートとすることで、前記（イ）−（ハ）を達成する。
（ホ）  シャツタを、屋根に設けた天窓換気扇に付設することで、シャツタからの雨水の侵入防止、或いは虫等の侵入防止と、内気の漏洩防止、又は虫の逃避防止、又は省エネ等に寄与する。
（へ）  シャツタを、屋根に設けたシャツタ枠に付設することで、シャツタからの雨水、外気の侵入防止、或いは虫等の侵入防止と、内気の漏洩防止、又は虫の逃避防止、又は省エネ等に寄与する。
【課題を解決するための手段】
【０００８】
請求項１の発明は、前記（イ）と（ロ）を達成する。
【０００９】
請求項１の発明は、シャツタ枠に、左右部を有する複数枚のシャツタプレートを枢着したシャツタであって、
前記左右部は、前記各シャツタプレートの長手方向両端部から前記シャツタの表面側に向かって立設され、
前記シャツタ枠の左右の側面枠部間に、Ｃ型材でなる複数の横棧を設け、前記横棧の両端は、前記側面枠部と前記側面枠部から延長して表面側に張り出した左右の張出部とを繋ぐ接続部位にそれぞれ支持され、
前記横棧の開放端部と、前記側面枠部の前記張出部から互いに対峙するように前記シャツタプレートの長手方向に突出しかつ前記シャツタの上下方向に延在する、左右の内側鍔片に形成された側面当接箇所と、に前記シャツタプレートの閉塞時に前記シャツタプレートが当接する密閉部材を設けるシャツタにおいて、
前記密閉部材は、前記各シャツタプレートの枢着位置の裏面側にそれぞれ設けるとともに、前記横棧の前記開放端部に設けた前記密閉部材の端部には、二葉形状の開放鰭部を形成し、前記二葉形状開放鰭部は、前記シャツタプレートの開放側に位置しており、
前記各シャツタプレートの表面の自由端には、補助板を、それぞれ突出して設けるとともに、前記各シャツタプレートの中で、最下端のシャツタプレートのみ、前記補助板を設けず、
前記最下端のシャツタプレートを除いた、前記各シャツタプレートの前記各補助板は、直下に位置する前記各シャツタプレートの基端側を隠蔽することを特徴とするシャツタである。
【００１４】
請求項２の発明は、前記（イ）、（ロ）、（ニ）、および（ホ）を達成する。
【００１５】
請求項２の発明は、請求項１に記載のシャツタであって、
前記シャツタは、前記シャツタ枠に設けたフレーム枠と、前記フレーム枠の端部より、その中心に向って延設した支持杆と、前記支持杆の中心に設けたモータと、前記モータで回転されるファンとで構成した天窓換気扇に付設する構成としたシャツタである。
【発明の効果】
【００２０】
請求項１の発明は、シャツタ枠に、左右部を有する複数枚のシャツタプレートを枢着したシャツタであって、
左右部は、各シャツタプレートの長手方向両端部からシャツタの表面側に向かって立設され、
シャツタ枠の左右の側面枠部間に、Ｃ型材でなる複数の横棧を設け、横棧の両端は、側面枠部と側面枠部から延長して表面側に張り出した左右の張出部とを繋ぐ接続部位にそれぞれ支持され、
横棧の開放端部と、側面枠部の張出部から互いに対峙するようにシャツタプレートの長手方向に突出しかつシャツタの上下方向に延在する、左右の内側鍔片に形成された側面当接箇所と、にシャツタプレートの閉塞時にシャツタプレートが当接する密閉部材を設けるシャツタにおいて、
密閉部材は、各シャツタプレートの枢着位置の裏面側にそれぞれ設けるとともに、横棧の開放端部に設けた密閉部材の端部には、二葉形状の開放鰭部を形成し、二葉形状開放鰭部は、シャツタプレートの開放側に位置しており、
各シャツタプレートの表面の自由端には、補助板を、それぞれ突出して設けるとともに、各シャツタプレートの中で、最下端のシャツタプレートのみ、補助板を設けず、
最下端のシャツタプレートを除いた、各シャツタプレートの各補助板は、直下に位置する各シャツタプレートの基端側を隠蔽することを特徴とするシャツタである。
【００２１】
従って、請求項１は、下記（イ）と（ロ）を達成できる。
（イ）  シャツタプレートの裏面（裏面側）と、シャツタ枠と、横棧とに設けた弾性体の密封部材とで、複数のシャツタプレートの隙間を、確実に密閉することで、雨水、外気、或いは虫等の侵入防止と、内気の漏洩防止、又は虫の逃避防止、又は省エネ等に寄与できる。
（ロ）  また、シャツタ枠に、複数の横棧を付設する（差渡して設ける）ことで、強度の向上と、シャツタ枠の肉薄化、細幅化等を図り、かつ低コスト化と、材料の節約化等が図れる。
【００２６】
請求項２の発明は、請求項１に記載のシャツタであって、
シャツタは、シャツタ枠に設けたフレーム枠と、フレーム枠の端部より、中心に向って延設した支持杆と、支持杆の中心に設けたモータと、モータで回転されるファンとで構成した天窓換気扇に付設する構成としたシャツタである。
【００２７】
従って、請求項２は、前記（イ）、（ロ）、および（ニ）の他に、（ホ）を達成できる。
（ホ）  シャツタを、屋根に設けた天窓換気扇に付設することで、シャツタからの雨水の侵入防止、或いは虫等の侵入防止と、内気の漏洩防止、又は虫の逃避防止、又は省エネ等に寄与できる。
【図面の簡単な説明】
【００３２】
【図１】第一実施例であり、本発明のシャツタを付設した電動シャツタ（第一実施例の電動シャツタ）であって、シャツタの閉状態の正面図
【図２−１】第一実施例の電動シャツタであって、シャツタの閉状態の背面図
【図２−２】第一実施例の電動シャツタであって、シャツタの開状態の背面図
【図３−１】第一実施例の電動シャツタであって、シャツタの閉状態の側面図
【図３−１−１】図３−１の要部の拡大断面図
【図３−２】第一実施例の電動シャツタであって、シャツタの開状態の側面図
【図３−２−１】図３−２の要部の拡大断面図
【図３−２−２】図３−２−１の要部の拡大断面図
【図４】第二実施例であり、本発明のシャツタを付設した天窓換気扇（第二実施例の天窓換気扇）であって、シャツタの閉状態の正面図
【図５】第二実施例の天窓換気扇であって、シャツタの閉状態の背面図
【図６−１】第二実施例の天窓換気扇であって、シャツタの開状態の側面図
【図６−２】第二実施例の天窓換気扇であって、シャツタの閉状態の側面図
【図７】第一実施例の別の一例を示した電動シャツタであって、シャツタの閉状態の正面図
【図８】第一実施例の別の一例を示した電動シャツタであって、シャツタの開状態の側面図
【図９】第二実施例の別の一例を示した天窓換気扇であって、シャツタの開状態の側面図
【発明を実施するための形態】
【００３３】
図１〜図３−２−１に示した第一実施例の、例えば、屋根に装備した電動シャツタにおいて、１はシャツタで、このシャツタ１の構造を説明すると、方形状のシャツタ枠２と、このシャツタ枠２を構成する左右の側面枠部２００、２００と、この側面枠部２００、２００から延長して表面側に張り出した左右の張出部２００ａ、２００ａに軸部を枢着２ａ、２ａ（２ａとする）された左右部３ｂ、３ｃを有する、複数枚のシャツタプレート３、３等（３とする。またこの左右部３ｂ、３ｃは、各シャツタプレートの長手方向Ｂの両端部からシャツタの表面側に立設されており、この結果、該シャツタプレートは、長手方向Ｂに対峙した（沿った）断面において「コ」の字を右に９０度回転させたような受け皿形状となっている）と、この各シャツタプレート３の裏面３ａに他端を枢着し、連動板５に一端を枢着した、略Ｌ形をした複数のシャツタプレート支持金具７と、この複数のシャツタプレート支持金具７の各他端がそれぞれ枢着６され、かつこの各他端（枢着６）を昇降し、しかも前記左右の側面枠部２００、２００に添って昇降する板状の対の連動板５と、この対の連動板５間に差渡し設け、かつシャツタプレート３と同じ横方向を向く連結板９と、この連結板９に設けたクランクアーム支持金具８００と、このクランクアーム支持金具８００に一端を枢着１０したクランクアーム８と、このクランクアーム８の他端に、一端を枢着１１したクランク１２と、このクランク１２の他端が固着された出力軸１３００（出力機構を含む）を備えたモータ１３と、で構成されている。このモータ１３は、シャツタ枠２の下面枠部２００ｂに固定されている。図中２００ｃは、シャツタ枠２の上面枠部で、この上面枠部２００ｃは、側面枠部２００、２００の張出部２００ａ、２００ａに至る構造とし、最上段のシャツタプレート３のシャツタプレート支持金具７と、後述する連動板５の一部が収容される。また、図中４は、シャツタ枠１の上面枠部２００ｃの前側に設けた庇で、最上段のシャツタプレート３の枢着側（上方）をカバーする。
【００３４】
そして、このシャツタプレート３の表面３ｅの自由端３ｆには、雨水、風を遮断する補助板１５が、自由端３ｆより突出して設けられる（延設される）。即ち、この補助板１５の短手方向は、図３−２の如く、自由端３ｆより突出し、また、長手方向Ｂ（シャツタプレート３の幅方向）は、図１の如く、シャツタプレート３の幅の略一杯に設けられている。従って、図１の如く、シャツタプレート３（シャツタ１）の閉状態では、下側（直下）のシャツタプレート３の基端側３ｇを隠蔽する構造である。これにより、後述する横棧２０に設けた密閉部材２１を、隠蔽し、かつ雨水、風を遮断することと、後述する溝（雨水通路）を流れる雨水の最適化を図る。尚、補助板１５は、原則として、最下端のシャツタプレート３には設けない構造である。
【００３５】
以下、シャツタプレート３の開閉を説明すると、図３−１、図３−１−１のシャツタプレート３の閉状態から、図３−２、図３−２−１のシャツタプレート３の開状態に移行する状態を説明すると、モータ１３がＯＮし、出力軸１３００が回転することで、クランク１２が図３−１、図３−１−１の如く、反矢印「イ」の時計方向に回転することで、クランクアーム８が図３−１、図３−１−１の如く、反矢印「ロ」の下方向に引下げられる。この引下げは、次のように各部材の引下げ動作となる。即ち、クランクアーム８とクランクアーム支持金具８００、並びに連結板９、及び連動板５を、同様に反矢印「ロ」の下方向に引下げられる。この連動板５の引下げにより、シャツタプレート支持金具７の他端を、図３−１、図３−１−１の如く、反矢印「ハ」の下方向に引下げる。この引下げで、シャツタプレート３が枢着２ａを支点として可動し、このシャツタプレート３が開放され、図３−２、図３−２−１の如く、開状態となる。この開状態では、クランクアーム８、並びに連結板９、及び連動板５が、最下端に位置する構造である。そして、この開状態で、図３−２−１に示されている気体通路Ａ（気体通過窓部）が形成される。尚、図３−２、図３−２−１のシャツタプレート３の開状態から、図３−１、図３−１−１のシャツタプレート３の閉状態に移行する状態は、前述の逆の操作となる。
【００３６】
２０は横棧であり、この横棧２０は、シャツタ枠２を構成する側面枠部２００、２００間に、複数本差渡し設けた構造であり、具体的には、この側面枠部２００、２００と張出部２００ａ、２００ａとを繋ぐ接続部位に、その両端を支持されており、かつ各シャツタプレート３の各枢着２ａの裏面側（枢着２ａと略同じ水平線上）に、それぞれ設けられている。また、この横棧２０は、シャツタプレートの開放側（図３−１−１で向って左側）が開放されたＣ型材（Ｃ型鋼）とする。このＣ型材の自由端が、シャツタプレート３の開放側に位置する構造とする。そして、この各横棧２０のＣ型材の開放端部２０ａ、２０ｂ（自由端）には、ゴムシート、その他のシール材、等でなる密閉部材２１を、それぞれ付設するとともに、この各密閉部材２１の開放鰭部２１ａ〜２１ｄが、シャツタプレート３の開放側に位置する構造とし、後述するように、この各開放鰭部２１ａ、２１ｂと、上下の各シャツタプレート３の裏面３ａ（又は後述する断熱材）との、それぞれの確実な接触と、密着性の向上を図る（図３−１−１参照）。この各開放鰭部２１ａ〜２１ｄは、図３−１−１の如く、シャツタプレート３の枢着側と、自由端側とに接触する。また、このシャツタプレート３の裏面３ａを囲繞するために、シャツタ枠２の左右の張出部２００ａから互いに対峙するように長手方向Ｂに突出し、かつシャツタ１の上下方向に延在するように形成した内側鍔片２００−１に形成された（対の横棧２０間で、前記開放鰭部２１ｂ、２１ｃの上下間に形成された）、複数の側面当接箇所２００−２には、密閉部材２１の開放鰭部２１ｂ、２１ｃを繋ぐ部位を、それぞれ張装するが、この各側面当接箇所２００−２に張装した密閉部材２１の部位は、開放鰭部を有さない。このような密閉部材２１により、シャツタプレート３の裏面３ａが、開放鰭部２１ｂ、２１ｃと、この開放鰭部２１ｂ、２１ｃとを繋ぐ部位とで、横長方形状に囲繞される構造である。この横長方形状の囲繞で、シャツタプレート３とシャツタ枠２との密閉性（気密性）の向上を図る。従って、雨水がシャツタプレートの周辺より滴下した状況では、この滴下雨水は、密閉部材２１の周辺からシャツタ枠２の内側鍔片２００−１に到り、この内側鍔片２００−１の側面当接箇所２００−２に設けた密閉部材２１に遮蔽、かつ誘導され、次の密閉部材２１に流れる構造である。即ち、密閉部材２１と張出部２００ａとの間の溝部を雨水が流れる構造である。
【００３７】
また、前記シャツタプレート３の裏面３ａに設けた断熱材２２であり、このシャツタプレート３の結露防止と、内外の遮断を図り、ハウス内の温湿度調整と、急激な温度変化を回避する。また、この断熱材２２は、必要により、シャツタ枠１の結露防止を考えて、前記上下面枠体２００ｃ、２００ｂと、及び／又は、左右の側面枠体２００の内面側とに設ける構造もあり得る。
【００３８】
尚、図４〜図６−２に示した第二実施例の、例えば、屋根に装備した天窓換気扇において、この第二実施例では、第一実施例の電動シャツタと、基本的なシャツタ１の構造は同じであるので、その相違点を説明すると、シャツタ枠２にはフレーム枠３０と、このフレーム枠３０の角隅３０ａより中心に向って延設した支持杆３１と、この支持杆３１に支持したモータ３２と、このモータ３２の出力軸３２００に設け、かつ前記フレーム枠３０に内設したファン３３と、連動板（図示せず）で構成されている。そして、シャツタ１には、モータ１３と、クランクアーム８、並びに連結板９等を有さない構造である。図中３５はガード、３６はベルマウスを示す。また、図示しないが、この第二実施例の他の例として、モータに懸掛したベルトで、ファン軸を回転するベルト駆動方式にも採用できる。
【００３９】
従って、この天窓換気扇では、ファン３３の回転で、各シャツタプレート３が開放し、開状態となる。逆に、ファン３３の回転停止で、各シャツタプレート３が閉塞し（連動板を介して、略同時に動き）、閉状態となる。また、この開状態において、シャツタプレート３が開放し（連動板を介して、略同時に動き）、シャツタ１には、それぞれ気体通路Ａが形成される。尚、前記閉状態において、シャツタプレート３と密閉部材２１の構造、並びに断熱材２２と効果は同じであり、
そして、図７と、図８に示した第一実施例の別の一例を示した電動シャツタにおいては、第一実施例と異なり、シャツタプレート３の表面３ｅの自由端３ｆには、雨水、風を遮断する補助板１５を設けない構造を示している。その効果は、第一実施例より幾分劣るが、市場では使用に耐え得ると考えられる。また、この別の一例では、コストの低廉化と、軽量化等に有効と考えられる。尚、図９に示した第二実施例の別の一例における天窓換気扇のシャツタ１においても、この第一実施例の別の一例を示した電動シャツタに準ずるので、説明は割愛する。
【符号の説明】
【００４０】
１            シャツタ
２            シャツタ枠
２ａ          枢着
２００        側面枠部
２００ａ      張出部
２００ｂ      下面枠部
２００ｃ      上面枠部
２００ｄ      内方側
２０１        側面当接箇所
３            シャツタプレート
３ａ          裏面
３ｂ          左部
３ｃ          右部
３ｄ          センター柱
３ｅ          表面
３ｆ          自由端
３ｇ          基端側
４            庇
５            連動板
６            枢着
７            シャツタプレート支持金具
８            クランクアーム
８００        クランクアーム支持金具
９            連結板
８            クランクアーム
１０          枢着
１１          枢着
１２          クランク
１３          モータ
１３００      出力軸
１５          補助板
２０          横棧
２０ａ        開放端部
２０ｂ        開放端部
２１          密閉部材
２１ａ        開放鰭部
２１ｂ        開放鰭部
２１ｃ        開放鰭部
２１ｄ        開放鰭部
２２          断熱材
３０          フレーム枠
３０ａ        角隅
３１          支持杆
３２          モータ
３２００      出力軸
３３          ファン
３５          ガード
３６          ベルマウス
Ａ            気体通路
Ｂ            長手方向
【図１】
0006146847.tif 000002
【図２−１】
0006146847.tif 000003
【図２−２】
0006146847.tif 000004
【図３−１】
0006146847.tif 000005
【図３−１−１】
0006146847.tif 000006
【図３−２】
0006146847.tif 000007
【図３−２−１】
0006146847.tif 000008
【図３−２−２】
0006146847.tif 000009
【図４】
0006146847.tif 000010
【図５】
0006146847.tif 000011
【図６−１】
0006146847.tif 000012
【図６−２】
0006146847.tif 000013
【図７】
0006146847.tif 000014
【図８】
0006146847.tif 000015
【図９】
0006146847.tif 000016